(57)【要約】【課題】掛着対象を拡大可能な背負い鞄を提供する。【解決手段】鞄本体２の上部２１に両端部が固着された吊下部３を備え、吊下部３の途中に、吊下部３を分離自在に連結する連結手段４が設けられている背負い鞄１。【選択図】  図１
0003118834.tif 000002
【実用新案登録請求の範囲】
【請求項１】
鞄本体の上部に両端部が固着された吊下部を備え、前記吊下部の途中に、前記吊下部を分離自在に連結する連結手段が設けられていることを特徴とする背負い鞄。
【請求項２】
前記吊下部がグリップ部を有することを特徴とする請求項１記載の背負い鞄。
【請求項３】
前記吊下部に、前記吊下部の長さを調節する長さ調節手段が設けられていることを特徴とする請求項１又は２記載の背負い鞄。
【考案の詳細な説明】
【技術分野】
【０００１】
本考案は、リュックサック、デイパック、ナップサック等の背負い鞄に関する。
【背景技術】
【０００２】
従来から知られているリュックサック、デイパック、ナップサック等の背負い鞄には、フック等に掛着するための吊下部が、左右の肩ベルトの間の背面と上面との境界部等に取着されている。この吊下部は、一本の布テープをＵ字形状に曲げて、その両端を鞄本体に縫着することにより構成されている。
【０００３】
なお、先行技術文献調査は行っていないので、記載すべき先行技術文献情報は無い。
【考案の開示】
【考案が解決しようとする課題】
【０００４】
しかし、リュックサック等の背負い鞄は、野外等、鞄を掛けるためのフック等が用意されていない場所で使用されることが多いため、例えば、木の枝に掛着しようとすると、枝の先から吊下部を通すことができないため掛着不可能であったり、鉄棒のバー等、両端が吊下部を通せない構造になっている物には掛着不可能であったりする等、背負い鞄を掛着する対象となり得る物（以下、「掛着対象」という。）が限られてしまうという問題があった。
【０００５】
この考案は、上述した問題を解決するものであり、掛着対象を拡大可能な背負い鞄を提供することを目的とする。
【課題を解決するための手段】
【０００６】
本考案の背負い鞄は、鞄本体の上部に両端部が固着された吊下部を備え、吊下部の途中に、吊下部を分離自在に連結する連結手段が設けられていることを特徴とする。
【０００７】
ここで、吊下部がグリップ部を有することが好ましい。
【０００８】
また、吊下部に、吊下部の長さを調節する長さ調節手段が設けられていることが好ましい。
【考案の効果】
【０００９】
本考案の背負い鞄は、連結手段により吊下部の分離・連結が自在であるので、吊下部を分離して連結することにより、吊下部を端から通すことができないような物にも掛着可能であり、掛着対象を拡大可能である。
【００１０】
また、吊下部がグリップ部を有することとすれば、吊下部を把持して持ち運びし易い。
【００１１】
また、吊下部の長さを調節する長さ調節手段を設ければ、掛着対象の太さに合わせて吊下部の長さを調節できるので、掛着対象をさらに拡大可能である。
【考案を実施するための最良の形態】
【００１２】
以下、本考案の一実施形態を図面に基づいて説明する。
【００１３】
図１に示す背負い鞄１は、リュックサックである。背負い鞄１は、種々の収納物が収納される鞄本体２と、鞄本体２の上部２１に両端部が固着された吊下部３とを備えている。
【００１４】
吊下部３は、可撓性を有する布製帯状のテープ部３１、３２を備え、テープ部３１、３２は、それぞれ、一方の端部が上部２１に縫着され、他方の端部が、吊下部３の途中に設けられたバックル４に連結されている。
【００１５】
図２、３に示すように、バックル４は、合成樹脂製で、吊下部３を分離自在に連結する連結手段となるものである。バックル４は、挿入部４１と被挿入部４２とから構成されている。挿入部４１の先端側には、弾性を有する挿入片４１ａ、４１ａが配設されている。挿入部４１は、被挿入部４２に挿入されて、挿入時に押し縮められた挿入片４１ａ、４１ａが元に戻ることにより、被挿入部４２に係止される。また、挿入片４１ａ、４１ａの被挿入部４２からの露出部分を互いに近づく方向に押圧して、挿入部４１を引き抜くことにより、挿入部４１は被挿入部４２から抜脱される。
【００１６】
挿入部４１の基端側には、軸４１ｃとその両側に設けられたテープ挿通孔とを有するテープ挿通部４１ｂが形成されている。テープ挿通部４１ｂには、テープ部３１の自由端が、軸４１ｃを挟んで折り返されるようにして挿通される。この折返しの位置をずらすことにより、テープ部３１の折返し位置より前の部分３１ａの長さが変わり、吊下部３全体の長さが変わることとなる。すなわち、テープ挿通部４１ｂは、吊下部３の長さを調節する長さ調節手段に相当する。
【００１７】
また、吊下部３は、吊下部３を把持し易くするためのグリップ部５を備えている。グリップ部５は、テープ部３２に巻着されて縫着される布部５１と、テープ部３２と布部５１との間に介在するクッション材とから構成されている。
【００１８】
以上のように構成された背負い鞄１の作用について、次に説明する。
【００１９】
背負い鞄１を、図４に示す鉄棒９のバー部９１に掛着する場合、バー部９１の両端には支柱部９２、９２が連結されているので、両端から吊下部３をバー部９１に挿通することはできない。そこで、バックル４の挿入部４１を被挿入部４２から抜脱して、吊下部３を分離する。そして、吊下部３をバー部９１に引っ掛けてから、挿入部４１を被挿入部４２に挿入して、吊下部３を連結する。すると、図４に示すように、背負い鞄１はバー部９１に掛着される。なお、図４中、符号６は、背負い鞄１の背面側に設けられた左右一対の背負いベルトである。
【００２０】
このように、背負い鞄１によれば、従来の吊下部を有する背負い鞄では掛着不可能なバー部９１や木の枝等にも掛着可能であり、掛着対象が拡大する。
【００２１】
また、太い木の枝等に背負い鞄１を掛着する場合には、テープ部３１の折返しの位置をずらして、吊下部３の長さを長くすることにより掛着可能となる。すなわち、背負い鞄１は、吊下部３の長さが調節できるので、掛着対象がさらに拡大する。
【００２２】
また、グリップ部５を把持して持ち運べば、手にテープ部３２が食い込むことなく、持ち易い。
【００２３】
なお、連結手段は吊下部３を分離自在に連結するものであればよく、バックル４に限られない。例えば、面ファスナー、ホック、ボタン等を、連結手段として用いてもよい。
【００２４】
また、長さ調節手段もテープ挿通部４１ｂに限られず、例えば、連結手段として面ファスナーを用いたときは、面ファスナーの雄部材と雌部材との重なり部分の長さを変えることにより、長さを調節可能である。かかる場合には、面ファスナーが連結手段に相当するとともに長さ調節手段に相当する。
【００２５】
また、グリップ部５も、上記したものに限られず、手への食い込みを防ぎ、把持し易くするものであればよい。例えば、グリップ部５を、皮製、合成樹脂製等にしてもよい。
【００２６】
なお、長さ調節手段を設けるか否か、グリップ部５を設けるか否かは任意である。
【００２７】
すなわち、実用新案登録請求の範囲を逸脱しない範囲で、本考案は種々の構成を採り得る。
【図面の簡単な説明】
【００２８】
【図１】本考案に係る背負い鞄の一実施形態の正面図である。
【図２】図１の背負い鞄の要部斜視図であり、バックルを連結した状態の図である。
【図３】図１の背負い鞄の要部斜視図であり、バックルを分離した状態の図である。
【図４】図１の背負い鞄を鉄棒のバー部に掛着したときの図である。
【符号の説明】
【００２９】
１…鞄
２…鞄本体
３…吊下部
４…バックル（連結手段）
５…グリップ部
２１…上部
４１ｂ…テープ挿通部（長さ調節手段）
【図１】
0003118834.tif 000003
【図２】
0003118834.tif 000004
【図３】
0003118834.tif 000005
【図４】
0003118834.tif 000006